(57)【特許請求の範囲】
【請求項１】
被検体表面に付着している油分量及び水分量を測定する油水分測定装置であって、
被検体表面の水分量を検出する水分センサ（３）が先端に配設された測定用プローブ（４）と、前記水分センサ（３）の出力信号に基づいて水分量を算出する水分量測定手段（８）とを備えると共に、
前記水分センサ（３）を覆うように前記測定用プロープ（４）の先端に着脱自在に装着される油分採取キャップ（５）と、油分採取キャップ（５）の油分採取面（5a）に光を照射してその反射光を検出する油分検出光学系（６）を内部に配した油分測定孔（７）と、前記油分検出光学系（６）の出力信号に基づいて油分量を算出する油分量測定手段（９）と、
前記水分量測定手段（８）及び油分量測定手段（９）で算出された水分量及び油分量を表示する表示部（10）とを備えたことを特徴とする油水分測定装置。
【請求項２】
被検体表面に付着している油分量及び水分量を測定する油水分測定装置であって、
被検体表面の水分量を検出する水分センサ（３）が先端に配設された測定用プローブ（４）と、前記水分センサ（３）の出力信号に基づいて水分量を算出する水分量測定手段（８）とを備えると共に、
前記水分センサ（３）を覆うように前記測定用プロープ（４）の先端に着脱自在に装着される油分採取キャップ（５）と、油分採取キャップ（５）の油分採取面（5a）に光を照射してその反射光を検出する油分検出光学系（６）を内部に配した油分測定孔（７）と、前記油分検出光学系（６）の出力信号に基づいて油分量を算出する油分量測定手段（９）と、
前記水分量測定手段（８）及び油分量測定手段（９）で算出された水分量及び油分量を表示する表示部（10）とを備え、
前記測定用プローブ（４）には、前記水分センサ（３）を先端に取り付けたスイッチングスリーブ（11）が摺動可能に支持されると共に、前記スイッチングスリーブ（11）が測定用プローブ（４）内に押し込まれたときに操作されるスイッチ（12）を備え、
当該スイッチ（12）は、水分量測定時には水分センサ（３）を被検体に押し当てたときに水分量測定手段（８）を起動させるスイッチ信号を出力すると共に、油分量測定時には油分採取キャップを被検体に押し当てた後、一定時間経過したときに報知音を鳴らすタイマー（13）を駆動させるスイッチ信号を出力するようになされていることを特徴とする油水分測定装置。
【請求項３】
装置本体（２）に、前記測定用プローブ（４）と、前記水分量測定手段（８）と、前記油分測定孔（７）と、前記油分量測定手段（９）と、前記表示部（10）が配されてなる請求項１又は２記載の油水分測定装置。
【請求項４】
装置本体（２）に電池（20）を電源とする電源回路（21）が形成され、当該電源回路（21）には、セットされた電池（20）の極性を判断して常に一定極性の直流電圧を出力する極性判定回路（22）を備えて成る請求項１乃至３記載の油水分測定装置。
【発明の詳細な説明】
【０００１】
【発明の属する技術分野】
本発明は、被検体表面に付着している油分量及び水分量を測定する油水分測定装置に関し、特に、皮膚表面に付着している皮脂（油分量）及び水分量を測定するのに適したものである。
【０００２】
【従来の技術】
皮膚の皮脂量や水分量を測定するこの種の油水分測定装置は、化粧品販売店などの店頭で、顧客の皮膚の性質に応じて最も適切な化粧品を選択する際の参考データを得るために用いられている（特開平２−２６８７３８号，特開平３−２６２３０号公報参照）。
図３はこのような従来の油水分測定装置を示す斜視図，図４はそのブロック図であって、卓上型の装置本体５０の上面には、先端に油分採取チップ５１が装着可能な油分測定プローブ５２と、先端に水分センサ５３を配した水分量測定プローブ５４と、先端に温度センサ５５を配した皮膚温度測定プローブ５６とを夫々収納するホルダー５７，５８，５９が形成されると共に、前記油分測定プローブ５２を収納するホルダー５７の底部には、油分採取チップ５１に光を照射してその反射光強度を検出する油分測定光学系６１が配され、前記水分量測定プローブ５４，皮膚温度測定プローブ５６は信号線６２，６３を介して装置本体５０に連結されている。
【０００３】
装置本体５０には、その内部に、前記油分測定光学系６１で検出された反射光強度に基づいて油分量を測定する油分量測定手段６４と、水分センサ５３の出力信号に基づいて水分量を算出する水分量測定手段６５と、温度センサ５５の出力信号に基づいて皮膚温度を算出する温度測定手段６６を備え、その正面には、前記各測定手段６４，６５，６６で算出された油分量，水分量，皮膚温度を夫々表示する油分量表示部６７，水分量表示部６８，温度表示部６９が設けられている。
【０００４】
そして、まず、油分量を測定するときは、油分測定プローブ５２の先端に油分採取チップ５１を装着して油分採取前の反射光強度を測定し、その後、油分測定プローブ５２をホルダー５７から抜き取って油分採取チップ５１を皮膚に押し当て、油分を採取した後、再びホルダー５７内に収納して油分採取後の反射光強度を測定すると、その反射光強度変化に基づいて測定された油分量が油分表示部６７に表示される。
次いで、水分量を測定するときは、水分測定プローブ５４をホルダー５８から抜き取って、先端の水分センサ５３を皮膚に押し当ててスイッチ５４ａを押せば、その出力信号に基づいて水分測定手段で水分量が算出され、その結果が水分表示部６８に表示される。
さらに、皮膚温度についても温度測定プローブ５６を用いて水分量と同様に測定することができる。
【０００５】
【発明が解決しようとする課題】
しかしながら、この種の油水分測定装置は油分，水分などの測定対象ごとに測定プローブ５２，５４が必要となるので、装置本体を卓上型にせざるを得ず、大型になってしまうという問題があった。
したがって、店頭に常設して用いる場合はよいが、例えば訪問販売員が販売促進用のツールとして用いる場合や、複数の小売店を担当する化粧品メーカの美容部員が持ち歩く場合には、大型すぎて持ち運びすることができず取扱いが不便であった。
また、油分を測定する場合に、油分採取チップを皮膚に押し当てる時間が一定せず、測定誤差が大きいという問題があった。
そこで本発明は、第一に、女性の美容部員でもバッグに入れて簡単に持ち運びすることができる程度に極めて小型でコンパクトに形成することができると同時に、第二に、油分を測定する際に、誰が測定してもその誤差を少なくできるようにすることを技術的課題としている。
【０００６】
【課題を解決するための手段】
この課題を解決するために、本発明は、被検体表面に付着している油分量及び水分量を測定する油水分測定装置であって、被検体表面の水分量を検出する水分センサが先端に配設された測定用プローブと、前記水分センサの出力信号に基づいて水分量を算出する水分量測定手段とを備えると共に、前記水分センサを覆うように前記測定用プロープの先端に着脱自在に装着される油分採取キャップと、油分採取キャップの油分採取面に光を照射してその反射光を検出する油分検出光学系を内部に配した油分測定孔と、前記油分検出光学系の出力信号に基づいて油分量を算出する油分量測定手段と、前記水分量測定手段及び油分量測定手段で算出された水分量及び油分量を表示する表示部とを備えたことを特徴とする。
【０００７】
これによれば、水分量を測定するときは、測定用プローブを被検体表面に押し当てれば良く、また、油分量を測定するときは、油分採取キャップを測定用プローブ先端に装着して油分を採取した後、その油分採取キャップを測定用プローブから外して油分測定孔に挿し込めばよいので、一つの測定用プローブで水分測定用のものと油分測定用のものが兼用され、したがって複数のプローブを設ける必要もなく、装置を小型化することができる。
【０００８】
また、より好適な実施形態によれば、前記測定用プローブに、前記水分センサを先端に取り付けたスイッチングスリーブが摺動可能に支持されると共に、前記スイッチングスリーブが測定用プローブ内に押し込まれたときに操作されるスイッチを備え、当該スイッチは、水分量測定時には水分センサを被検体に押し当てたときに水分量測定手段を起動させるスイッチ信号を出力すると共に、油分量測定時には油分採取キャップを被検体に押し当てた後、一定時間経過したときに報知音を鳴らすタイマーを駆動させるスイッチ信号を出力するようになされている。
【０００９】
これによれば、測定用プローブの先端を被検体表面に押し当てると、スイッチングスリーブが押し込まれてスイッチが操作されるので、水分量測定時には水分センサを被検体に押し当てたときに水分量測定手段を起動させるスイッチ信号が出力されると共に、油分量測定時には油分採取キャップを被検体に押し当てた後、一定時間経過したときに報知音を鳴らすタイマーを駆動させるスイッチ信号が出力される。
すなわち、測定用プローブ先端に装着した油分採取キャップを被検体表面に押し当てたときも、スイッチングスリーブが押し込まれてスイッチが操作され、タイマーが作動し一定時間（例えば１０秒）経過後に報知音が成るので、油分採取キャップが被検体表面に押し当てられる時間が一定に維持され、油分採取時間の長短に起因する測定誤差をほとんどなくすことができる。
【００１０】
さらに好適な実施形態によれば、油水分測定装置の装置本体に、前記測定用プローブと、前記水分量測定手段と、前記油分測定孔と、前記油分量測定手段と、前記表示部が配されて、オールインタイプに形成されているので、よりコンパクトに形成することができる。
【００１１】
【発明の実施の形態】
以下、本発明を図面に示す実施形態に基づいて具体的に説明する。
図１は本発明に係る油水分測定装置の一例を示す斜視図、図２はそのブロック図、図３はその電源回路の一例を示す電気回路図である。
【００１２】
図中１は、被検体表面に付着している油分量及び水分量を測定する油水分測定装置であって、前記油水分測定装置の装置本体２に、被検体表面の水分量を検出する水分センサ３が先端に配設された測定用プローブ４が突出して形成され、前記測定用プローブ４に対して装置本体３の背面側には、油分採取キャップ５の油分採取面５ａに光を照射してその反射光を検出する油分検出光学系６を内部に配した油分測定孔７が形成されている。
【００１３】
また、装置本体２の内部には、前記水分センサ３の出力信号に基づいて水分量を算出する水分量測定手段８と、前記油分検出光学系６の出力信号に基づいて油分量を算出する油分量測定手段９が配設され、その正面には、前記水分量測定手段８及び油分量測定手段９で算出された水分量及び油分量を表示する表示部１０とが配設されている。
なお、水分センサ３としては、例えば測定面に触れる被検体の静電容量の大きさに基づいて水分量を検出する静電容量可変型のセンサが用いられ、前記水分量測定手段８には静電容量と大きさと水分量の関係を記憶した静電容量−水分量変換テーブルが記憶されている。
【００１４】
油分採取キャップ５は、その先端の油分採取面５ａに、付着した油分量によって光の反射率が変化する塗料を塗布したシール５ｂを貼った状態で、前記水分センサ３を覆うように前記測定用プローブ４の先端に着脱自在に装着され、油分測定時に測定用プローブ４の先端に装着した状態で被検体表面に押し当て、被検体表面の油分を採取した後、当該キャップ５を測定用プローブ４から外し、前記油分測定孔７に差し込んで油分量を光学的に測定するように成されている。
油分量測定手段９では、シール５ｂに油分が付着していないときの反射光強度が油分量０として記憶されると共に、反射光強度と油分量の関係を記憶した反射光強度−油分量変換テーブルが予め記憶されている。
【００１５】
なお、シール５ｂは、これを貼るときに表面に指の油が付着しないように、その塗料面がオーバーレイ５ｃで覆われており、オーバーレイ５ｃを付けたままの状態で油分採取キャップ５の油分採取面５ａに貼った後、オーバーレイ５ｃだけを剥して使用する。
また、使用後はシール５ｂのみを貼り替えて繰り返し使用するが、必要に応じて、油分採取面５ａに予めそのような塗料を塗布しておき、油分採取キャップ５を使い捨てにする場合であってもよい。
【００１６】
また、測定用プローブ４には、前記水分センサ３を先端に取り付けたスイッチングスリーブ１１が摺動可能に支持され、前記スイッチングスリーブ１１が押し込まれたときに操作されるスイッチ１２を備えている。
このスイッチ１２は、水分量測定時には水分センサ３を被検体表面に押し当ててスイッチングスリーブ１１が押し込まれたときに水分量測定手段８を起動させるスイッチ信号を出力する。また、油分量測定時には油分採取キャップ５を測定用プローブ４に装着した状態で被検体に押し当ててスイッチングスリーブ１１が押し込まれたときにタイマー１３を駆動させるスイッチ信号を出力するように成され、当該タイマー１３はスイッチ信号が入力された時点から一定時間経過後に報知音を鳴らすように成されている。
【００１７】
なお、１４はスイッチングスリーブ１１を伸長方向に付勢するスプリングであって測定用プローブ４に内蔵され、１５は水分センサ３を被検体に一定圧力で押し当てるスプリングであってスイッチングスリーブ１１に内蔵されている。
また、１６は電池２０を電源とする電源回路２１をオンオフするメインスイッチ、１７は水分量測定スイッチ、１８は油分量測定スイッチである。
【００１８】
そして電源回路２１には、セットされた電池２０の極性を判断して常に一定極性の直流電圧を出力する極性判定回路２２と、極性判定回路２２から出力された直流電圧を所要の一定電圧値で出力する定電圧回路２３からなる。
この極性判定回路２２は、ダイオードＤ1 〜Ｄ4 をブリッジ型に接続したブリッジ回路で成り、当該ブリッジ回路の入力端子２４Ａ，２４Ｂが、電池２０の正負の電極２０Ａ，２０Ｂに接続され、ブリッジ回路の出力端子２５＋，２５−が定電圧回路２３に接続され、定電圧回路２３の出力電圧が油水分測定装置１の各電子回路に供給される。
【００１９】
以上が、本発明の一構成例であって、次にその作用について説明する。
まず、電池２０をセットしてメインスイッチ１６を押すと、電源電圧が油水分測定装置の各電子回路に供給される。このとき、電池２０の正負の電極２０Ａ，２０Ｂを入力端子２４Ａ，２４Ｂのどちらに接続しても、ブリッジ回路で構成された極性判定回路２２を通過することにより、出力端子２５＋側がプラス，出力端子２５−側がマイナスとなる一定極性の直流電圧が出力される。したがって、電池２０の極性を全く気にすることなくセットすることができるだけでなく、反対極性の電圧を印加することにより油水分測定装置１の各電子回路に悪影響を与えることもない。
【００２０】
そして、水分量を測定しようとするときは、水分量測定スイッチ１７を押し、装置本体２を手で持って測定用プローブ４の先端に取り付けられた水分センサ３を被検体表面に押し当てると、スイッチングスリーブ１１が測定用プローブ４内に押し込まれてスイッチ１２から水分量測定手段８を起動させるスイッチ信号が出力される。
水分量測定手段８では、水分センサ３から出力された検出信号に基づいて被検体の静電容量を測定し、これに基づいて静電容量−水分量変換テーブルを参照し、水分量を例えば１〜１５までの段階的な数値に置き換えて表示部１０に表示する。
【００２１】
次いで、油分量を測定しようとするときは、油分採取キャップ５の油分採取面５ａにシール５ｂを貼り、オーバーレイ５ｃを剥して、測定用プローブ４の先端に水分センサ３を覆うように装着する。
そして、今度は、油分量測定スイッチ１８を押して、測定用プローブ４の先端に装着した油分採取キャップ５を被検体表面に押し当てると、スイッチングスリーブ１１が測定用プローブ４内に押し込まれてスイッチ１２からタイマー１３を起動するスイッチ信号が出力される。
タイマー１３はスイッチ信号が入力されると一定時間経過後（例えば１０秒経過後）に“ピッピッピッ”との報知音が成るので、油分採取キャップ５を被検体に被検体に押し当てる時間を常に一定に維持することができ、押し当てる時間の長短に起因する測定誤差をなくすことができる。
【００２２】
次いで、油分採取キャップ５を測定用プローブ４から外して、油分測定孔７に挿し込む。このとき、油分測定用光学系６は、既に油分量測定スイッチ１８を押した時点で点灯されているので、即、その反射光強度が検出される。
一方、油分測定手段９は、一定レベル以上の反射光が入力されたときに自動的に計測を開始するようになされており、油分採取キャップ５を油分測定孔７に挿し込めば、一定レベルの反射光が検出されるので油分量の計測が開始される。
そして、油分採取キャップ５の油分採取面５ａの反射光強度が検出されると、これに基づいてて反射光強度−油分量変換テーブルを参照し、油分量を例えば１〜１５までの段階的な数値に置き換えて表示部１０に表示する。
【００２３】
【発明の効果】
以上述べたように、本発明によれば、一つの測定用プローブで水分測定用のものと油分測定用のものを兼用しているので、測定用プローブは一つで足り、複数の測定用プローブを用いる必要がなく、したがって装置全体を小型化することができ、さらに、測定用プローブが一つで済むので装置本体に取り付けたオールインワンタイプとすることができ、より小型化を図ることできるという大変優れた効果を有する。
【００２４】
また、測定用プローブの先端を被検体表面に押し当てると、スイッチングスリーブが押し込まれてスイッチが操作され、水分量測定時には水分センサを被検体に押し当てたときに水分量測定手段を起動させるスイッチ信号が出力されるだけでなく、油分量測定時には油分採取キャップを被検体に押し当ててから一定時間経過後に報知音を鳴らすタイマーを起動させるスイッチ信号が出力されるので、油分採取キャップを被検体表面に押し当てる時間を一定に維持することができ、油分採取時間の長短に起因する測定誤差をなくすことができ、正確な測定を行うことができるという効果も有する。
【図面の簡単な説明】
【図１】本発明に係る油水分測定装置を示す斜視図。
【図２】そのブロック図。
【図３】電源回路の一例を示す回路図。
【図４】従来装置を示す斜視図。
【図５】従来装置のブロック図。
【符号の説明】
１・・・油水分測定装置          ２・・・装置本体
３・・・水分センサ              ４・・・測定用プローブ
５・・・油分採取キャップ        ５ａ・・油分採取面
６・・・油分検出光学系          ７・・・油分測定孔
８・・・水分量測定手段          ９・・・油分量測定手段
１０・・・表示部                １１・・・スイッチングスリーブ
１２・・・スイッチ              １３・・・タイマー
２０・・・電池                  ２１・・・電源回路
２２・・・極性判定回路
【図１】
0003688811.tif 000002
【図２】
0003688811.tif 000003
【図３】
0003688811.tif 000004
【図４】
0003688811.tif 000005
【図５】
0003688811.tif 000006